(57)【要約】【課題】  床鳴りを補修するに際して、補修作業の直後に、床鳴りが収まったかどうかを確実に確認できるようにして、補修作業を効率化する。【解決手段】  木質系床材をサネ接合して敷き詰めた床面で床鳴りが発生するのを補修するに際して、常温で固体である潤滑性を持つ樹脂（例えば、分子量２０００以上のポリエチレングリコール）をサネ接合部の上におき、熱で溶融させてサネ接合部の隙間に流し込む。溶媒としての水を用いないので補修効果を樹脂が固化した直後に確認することができる。【選択図】  図３
2005256496.tif 000002
【特許請求の範囲】
【請求項１】
木質系床材をサネ接合して敷き詰めた床面で床鳴りが発生するのを補修する方法であって、常温で固体である潤滑性を持つ樹脂を熱で溶融させてサネ接合部の隙間に流し込むことを特徴とする床鳴り現象を補修する方法。
【請求項２】
常温で固体である潤滑性を持つ樹脂が分子量２０００以上のポリエチレングリコールであることを特徴とする請求項１に記載の床鳴り現象を補修する方法。
【発明の詳細な説明】
【技術分野】
【０００１】
本発明は、木質系床材をサネ接合して敷き詰めた床面で床鳴りが発生するのを補修するための方法に関する。
【背景技術】
【０００２】
図４に示すように、木質系基材１の周囲に雄実２と雌実３を形成した木質系床材Ａを互いにサネ接合しながら、コンクリートスラブやその上に配置した捨て貼り合板等の床下地４上に接着剤５を介して直貼りして、いわゆるフローリングを構築することは知られている。このような木質系床材Ａでは、その裏面に、防音・防振性を向上させるために弾性材料からなる緩衝シート６が通常設けられる。
【０００３】
このような木質系床材Ａを床下地４上へ敷設するには、床下地４の敷設面に接着剤５を塗布し、塗布した接着剤５が未硬化のうちに、接着剤上を滑らせながら木質系床材Ａを移動させて、相互の端部同士をサネ接合する。その移動時に、塗布された接着剤５の一部は、緩衝シート６の端面で次第に盛り上げられて移動し、サネ接合時に、その盛り上がり部が対向する緩衝シート６の端面間に入り込む。そこで硬化した接着剤５ａは、歩行時での緩衝シート６の沈み込みを妨害する場合がある。それを防止するために、通常、図示のように、緩衝シート６の端面側を木質系基材１の下側周側面よりも幾分後退させておき、サネ接合時に盛り上がった接着剤５ａを緩衝シートの端面間に形成される隙間７に収容することが行われる。
【０００４】
上記構成の木質系床材Ａを、図４のように床下地４に敷設したフローリングにおいて、床面を人間が歩いたときに、木質材同士が摺接するときに生じるような騒音（床鳴り）が発生する場合がある。通常、木質系床材Ａの上を人間が歩行すると、その荷重により緩衝シート６が沈み込み、木質系床材Ａはほぼ３〜５ｍｍ程度沈降するが、図５に示すように、荷重がサネ接合部近傍上に掛かった場合、矢印Ａのような下方に向けての沈降が生じ、それが、雄実２側の上端面と雌実３側の上端面との衝接面では互いに対向する方向のモーメントＭ１となり、雄実２側の下端面と雌実３側の下端面の側では互いに離間する方向のモーメントＭ２となる。荷重が解放されると、反動として、上方への浮き上がりが生じ、モーメントＭ１、Ｍ２の向きは逆方向となる。そのような木質系床材Ａの動きは、人間に良好な歩行感を与える一方において、サネ接合部での滑り性が低下すると、木質材同士の不規則な摺動が前記した床鳴りの原因となる場合が起こる。
【０００５】
床鳴り現象が発生するのを防止するために、特許文献１（特開平１１−１４１１０９号公報）には、木質系床材同士をサネ接合するときに、互いに接することとなる部分に、軟質合成樹脂材料からなる薄膜、植毛シート、軟質合成樹脂の発泡ビーズ等からなる、摺接緩和材を配設するようにした木質系床材が提案されている。
【０００６】
また、特許文献２（特開平６−１７３４７１号公報）には、床材と下地の間や床材同士の間に空隙が生じ、この部分に荷重を受けて部材がたわんだり擦れ合ったり（摺接したり）したときに生じる不快音である床鳴りの現象を補修する方法として、空隙部にα−シアノアクリルレート系接着剤を充填して、床材と下地を、あるいは床材同士を固定させる方法が提案されている。
【０００７】
特許文献１に記載のように、サネ接合するときに互いに摺接することとなる部分に摺接緩和材を配設した木質系床材を用いることにより、床鳴りの発生そのものを抑制することができる。しかし、木質系床材のコストが高くなるのを避けられない。また、特定の箇所に集中的に繰り返し荷重がかかるような場合に、その部分で摺接緩和材の損傷が生じ、経時的に床鳴り現象が発生することもある。
【０００８】
床鳴りが発生したときに、特許文献２に記載のように、空隙部にα−シアノアクリルレート系接着剤を充填して床材同士を固定してしまう方法は、多数個の木質系床材をサネ接合して敷き詰めたときの利点、すなわち、１個１個の木質系床材がサネ接合部で動くことにより歩行感を良好にすること（このことは、木質系床材が裏面に緩衝シートを積層している場合に顕著である）、あるいは、フローリングの補修時などに木質系床材を１個１個に分離できることなどの利点を失うこととなり、好ましくない。
【０００９】
それを解消するために、床鳴りの発生している領域でのサネ接合部に潤滑剤を流し込んで滑りやすくすることにより、床鳴り現象を補修することが行われる。従来、潤滑剤としては、常温で液体である水溶性樹脂（例えば低分子のポリプロピレングリコールなど）が用いられ、それを溶媒（例えば、水）に溶かして希釈溶液とし、その希釈溶液をサネ接合部の上部から注入するようにしている。
【特許文献１】特開平１１−１４１１０９号公報
【特許文献２】特開平０６−１７３４７１号公報
【発明の開示】
【発明が解決しようとする課題】
【００１０】
上記した潤滑剤の希釈溶液をサネ接合部に流し込む方法の場合、補修現場では、流し込んだ後に上からの踏み込みを行い、擦れ（摺接）による軋み音が出ないことを確認して、補修作業の終了としているが、作業終了後（例えば、１日程度経過した後）に、再び床鳴り現象が発生することがある。
【００１１】
この理由は、溶媒で希釈した溶液の場合、水のような溶媒が付与されたことにより摩擦状態が変わって一時的に床鳴り現象が収まる場合があり、溶媒が乾燥した後、潤滑剤の供給量が不十分であったり、潤滑剤が偏在しているような場合に、床鳴り現象が再発するためである。そのために、これまでの補修方法では、床鳴りの再発がないことを確認する必要から作業終了までに長日数を要し、また、経過を見て、後日、補修作業を再開するなどの手間が必要になっている。
【００１２】
本発明は、上記の事情に鑑みてなされたものであり、補修作業の直後に、床鳴りが収まったかどうかを確実に確認することができるようにし、それにより作業を大きく効率化することを可能とする改良された床鳴り現象を補修する方法を提供することを目的とする。
【課題を解決するための手段】
【００１３】
本発明は、木質系床材をサネ接合して敷き詰めた床面で床鳴りが発生するのを補修する方法であって、常温で固体である潤滑性を持つ樹脂を熱で溶融させてサネ接合部の隙間に流し込むことを特徴とする。
【００１４】
上記の方法では、常温で固体である樹脂を熱で溶融してサネ接合部の隙間に流し込むようにしており、水のような溶媒をまったく用いない。そのために、放熱後に固体化した樹脂が潤滑剤として適正に機能しているかどうか、すなわち、床鳴り現象の補修が完了したかどうかを、短時間で確認することができる。また、最初の流し込みでは補修が不十分であったことも短時間で知ることができるので、追加の樹脂を再度流し込むなどの措置をその場でとることが可能となり、その面でも作業は効率化する。
【００１５】
また、潤滑性の持つ樹脂を水などに溶解させたり、エマルジョンにする場合、流動性を高めるために樹脂配合比率を下げる（水分を増やす）、分子量を下げるなどの配慮が必要であり、結果として床鳴りに対する効果は若干低減してしまうが、熱溶融して注入（流し込む）場合は、高い分子量の樹脂を用いることができ、かつ樹脂配合率も１００％（水のような溶媒を有しない状態）であり、床鳴り防止効果も向上する。さらに、樹脂の量を増やすことによって、床鳴り防止効果がより長期間にわたって継続される利点もある。
【００１６】
樹脂を熱溶融する手段は任意であり、流し込もうとするサネ接合部の上部に固体状の樹脂を置き、電気ごてなどで熱を加えるようにしてもよい。熱が加わることで樹脂は次第に流動性をおび、サネ接合部の上方の隙間からサネ接合部に形成される隙間に流れ込んでいく。従来知られたホットメルトガンなどを用いることもできる。
【００１７】
常温で固体である潤滑性を持つ樹脂としては、ポリエチレングリコールやポリプロピレングリコールなどを挙げることができる。中でも、水可溶性であり余分にあふれた分を濡れ雑巾で容易に拭き取ることができること、床材美装用にワックスを塗布する場合にもワックスの密着性を阻害しないこと、などの理由からポリエチレングリコールは好適であり、分子量２０００以上のポリエチレングリコールは特に好適である。
【００１８】
本発明において、対象となる床面は、サネ接合部を持つ木質系床材が敷き詰められている床面のすべてである。温水シートや温水パイプを床下地に配置し、その上に木質系床材を敷き詰めて構成される温水床暖房構造の床面に対しても、あるいは電気式の床暖房構造の床面に対しても、水のような溶媒を用いないことから、支障なく本発明の方法を実施することができる。また、補修方法として説明したが、床鳴りが生じる前に、予防的措置として、本発明のように、常温で固体である潤滑性を持つ樹脂を熱で溶融させてサネ接合部の隙間に流し込むこともできる。
【発明の効果】
【００１９】
本発明によれば、木質系床材を敷き詰めたフローリングにおいて、床鳴り現象が生じた場合の補修作業を迅速かつ効率的に行うことができる。
【発明を実施するための最良の形態】
【００２０】
以下、本発明を図面を参照しながら説明する。図１は木質系床材の一例を示しており、図２はそれを床下地上に敷き詰めた形成されたフローリングを示している。図３は本発明による補修方法を工程分けして説明する図である。
【００２１】
図１に示す木質系床材Ａは、長尺の単位材２０を雁行状に組み付けたものであり、図１ｂの断面に示すように、各単位材２０は木質系基材１と表面化粧層２２とを備え、木質系基材１の周囲には雄実２および雌実３が形成されていて、相互にサネ接合している。そして、各単位材２０は緩衝シート６の上に一体に組み付けられて、一枚の木質系床材Ａとなっている。このような木質系床材Ａがサネ接合により所要枚数だけ床下地上に敷き詰められて、図２に示すようなフローリングとされる。
【００２２】
このようにサネ接合により木質系床材Ａ同士が（また長尺の単位材２０同士が）接合されているフローリングでは、床面を人が歩くときに床鳴り現象が一部に起き易いことは、図４および図５に基づき先に説明した。そこで、図２のＰの領域で床鳴りが起こっていると想定し、それを本発明の方法により補修することとする。
【００２３】
図３ａ，ｂは、図２の領域Ｐにおけるサネ接合部の１つを断面で示している。なお、図３において、図４および図５で説明したと同じ部材には同じ符号を付している。また、図をわかりやすくするために接着剤５、５ａは省略している。最初に、補修しようとするサネ接合部の上部に、常温で固体である潤滑性を持つ樹脂として、分子量２０００〜４０００程度のポリエチレングリコール３０を置く。その上から、１００℃程度の熱した電気ごて３１を置き、ポリエチレングリコール３０を熱して徐々に溶融する。
【００２４】
溶融したポリエチレングリコール３０は次第にサネ接合部の間の隙間３２に流れ込んでいき、そこで放熱して固化し、ポリエチレングリコール３０の潤滑膜３３を形成する。それにより、サネ接合部で木質系基材１同士が擦れあうことにより生じる床鳴り現象は確実に解消できる。また、溶融したポリエチレングリコールが固化するまでの時間はきわめて短い。そのために、溶融作業の終了後、直ちに、作業者は床面を踏み込みサネ接合部を上下動させて、床鳴り現象が解消したかどうかを確認することができる。一回の流し込みで十分な補修が得られなかった場合には、再び固体状のポリエチレングリコール３０を置き、同様に加熱して流し込めばよい。
【００２５】
上記のように、流し込み作業の終了直後に補修作業が完了したかどうかを確認することができるので、作業期間は大幅に短縮する。図３ｂに示すように、補修完了後に床面上に余分なポリエチレングリコール３０ａが残っている場合にも、ポリエチレングリコール３０は水溶性であることから、濡れ雑巾で拭くことにより容易に取り除くことができる。また、床材美装用にワックスを塗布する場合にも、ポリエチレングリコール３０はワックスの密着性を阻害しないので、ワックスの塗布作業も円滑に行うことができる。
【図面の簡単な説明】
【００２６】
【図１】図１は木質系床材の一例を示す平面図、図１ｂは図１ａでのｂ−ｂ線に沿う断面図。
【図２】図１に示す木質系床材を床下地上に敷き詰めた形成されたフローリングを示す図。
【図３】本発明による補修方法を工程分けして説明する図。
【図４】木質系床材のサネ接合部を説明する図。
【図５】木質系床材のサネ接合部で床鳴り現象が生じる理由を説明するための図。
【符号の説明】
【００２７】
Ａ…木質系床材、２０…長尺の単位材、１…木質系基材、２２…表面化粧層、６…緩衝シート、３０…分子量２０００〜４０００程度のポリエチレングリコール、３１…電気ごて、３２…サネ接合部の間の隙間、３３…ポリエチレングリコールの潤滑膜
【図１】
2005256496.tif 000003
【図２】
2005256496.tif 000004
【図３】
2005256496.tif 000005
【図４】
2005256496.tif 000006
【図５】
2005256496.tif 000007